(57)【要約】【課題】            従来の傘除水機では、傘に吹き付ける気流の速度や方向といった点で十分でなく吸水性シートを併用しなければ十分な除水効果が得られず、さらに、経年劣化したような撥水性の悪い傘の場合、吸水性シートを併用しても付着水分除去が十分でないという問題がある。【解決手段】        この課題を解決するための傘除水機は、傘を収納するための除水室と、空気流発生装置を収納する送気室と、空気流発生装置からの空気を除水室に収納された傘の傘布に吹き付ける内側ノズルと、内側ノズルより傘布の露先寄りに吹き付ける外側ノズルとを有する。【選択図】          図１
2005133962.tif 000002
【特許請求の範囲】
【請求項１】
傘を収納するための除水室と、
空気流発生装置を収納する送気室と、
前記空気流発生装置からの空気を前記除水室に収納された傘の傘布に吹き付ける内側ノズルと、前記内側ノズルより前記傘布の露先寄りに吹き付ける外側ノズルとを有することを特徴とする傘除水機。
【請求項２】
傘を収納するための除水室と、
空気流発生装置を収納する送気室と、
前記空気流発生装置からの空気を前記除水室に収納された傘の傘布に下方から上方に向かって吹き付ける内側ノズルと、前記内側ノズルより前記傘布の露先寄りに吹き付ける外側ノズルとを有することを特徴とする傘除水機。
【請求項３】
傘を収納するための除水室と、
空気流発生装置を収納する送気室と、
前記空気流発生装置からの空気を前記除水室に収納された傘の傘布に吹き付けるノズルとを有し、
前記ノズルから噴出される空気が傘布に到達する位置で４０ｍ／ｓ以上であることを特徴とする傘除水機。
【請求項４】
傘を収納するための除水室と、
空気流発生装置を収納する送気室と、
前記空気流発生装置からの空気を前記除水室に収納された傘の傘布に下方から上方に向かって吹き付ける内側ノズルと、前記内側ノズルより前記傘布の露先寄りに下方から上方に向かって吹き付ける前記内側ノズルよりも高い外側ノズルとを有することを特徴とする傘除水機。
【発明の詳細な説明】
【技術分野】
【０００１】
この発明は、傘に付着した水滴を短時間で除去するための傘除水機に関する。
【背景技術】
【０００２】
従来の傘除水機の構成は、傘受器本体の内側周面と間隙を隔てて多孔性曲板が設けられ、この多孔性曲板の内周面には吸水性に優れた吸水性シートが添設されている。
【０００３】
この装置に雨傘を差し込むと、送風機が駆動し、送風された送気が傘受器の内側と傘布との間を経て傘受器の上方へ吹き出す。そして、この送気により傘布がはためくことで傘布の付着水分が脱落され、さらに、タイマーの作用で送風機が停止するとともにシロッコファンが駆動することで傘受器の内部が負圧となり傘布が吸水シートの表面に密接され、傘布に残存されている水分が吸水シートに吸水され、傘布の付着水分が脱水される。この水分吹き飛ばし動作と吸水動作を数秒間隔で２〜３回繰返し動作させることで、傘布からの水分を脱水させる（例えば、特許文献１参照）。
【０００４】
【特許文献１】特開平６−４２８６５号公報（図２）
【発明の開示】
【発明が解決しようとする課題】
【０００５】
しかし、傘受器内部を負圧として傘布を吸水性シートに密接させようとした場合、傘の親骨と親骨の間の傘布は比較的吸水性シートと密接しやすいが、親骨付近の傘布は密接しにくく吸水性シートの効果が十分得られない。
【０００６】
また、例えば経年劣化したような撥水性の悪い傘の場合、傘布への水滴の付着力が強いが、親骨付近の傘布は親骨に動きが制限されるため、大きくはためかせることはできず、水滴除去効果が著しく低くなり、吸水性シートを併用しても付着水分除去が十分でないという問題がある。
【０００７】
さらに、このような水分吹き飛ばし動作と吸水動作を繰り返すことで付着水分を除去する方法では、除水が完了するまでに時間がかかってしまう点も問題であった。
【０００８】
また、構造上、傘の下部（石突きに近い方）では水滴除去も能力が高いが、送気口から送気された空気の減衰度合いが大きいため傘上部では水滴除去も能力が著しく低くなるという問題がある。
【０００９】
この発明は、上述のような課題を解決するためになされたものであり、高速空気により短時間で傘に付着した水滴を除去することができる傘除水機を得ることを目的とする。
【課題を解決するための手段】
【００１０】
傘を収納するための除水室と、空気流発生装置を収納する送気室と、空気流発生装置からの空気を除水室に収納された傘の傘布に吹き付ける内側ノズルと、内側ノズルより傘布の露先寄りに吹き付ける外側ノズルとを有する。
【発明の効果】
【００１１】
空気流を吹き付けて傘に付着した雨や雪を除去する能力の向上を図ることができる。
【発明を実施するための最良の形態】
【００１２】
実施の形態１．
図１は傘除水機に傘が挿入された状態の縦断面図である。図中、傘除水機１は大きく分けて、その外郭を形成する箱体２と、箱体２の上部に傘を出し入れするために設けられた傘を挿入するための開口部３と、箱体２の内部には除水するために傘を収納する除水室４と、除水室４の下方に設けられた送気室５とを有する。
【００１３】
さらに、送気室５の詳細について説明すると、送気室５は、その略中央部に高圧空気流を発生させる空気流発生装置６と、この空気流発生装置６と連通し箱体２の下面に隣接する位置に設けられた吸気ダクト７と、この吸気ダクト７の内周面に設けられ空気流発生装置６からの騒音及び吸気流による騒音の低減を図るために貼り付けられた吸音材８と、吸気ダクト７に吸気口９から異物が侵入するのを防止するために設けられたエアフィルタ１０と、その上部に除水室４内に突出するように設置され空気流発生装置６から送風された空気を吹き出すための内側ノズル１１と外側ノズル１２とを有する。
【００１４】
なお、これら内側ノズル１１と外側ノズル１２の位置関係については、おおよそ開口部３の中心線から傘を挿入した状態で、その傘の中心線に近い位置に設けられるノズルを内側ノズル１１とし、中心線に遠い位置に設けられるノズルを外側ノズル１２とする。また、内側ノズル１１は第１の排気通風路１３を介して空気流発生装置６と連通しており、その高圧空気は内側ノズル１１の先端部に設けられた第１の噴出口１４から除水室４に噴出され、外側ノズル１２は第２の排気通風路１５を介して空気流発生装置６と連通しており、その高圧空気は外側ノズル１２の先端部に設けられた第２の噴出口１６から除水室４に噴出される。
【００１５】
次に、このように構成された傘除水機１の動作について説明する。傘除水機１の開口部３から、雨や雪が付着した傘１７を除水室４の奥まで挿入すると、図示しないスイッチが入って、空気流発生装置６が作動する。これにより、エアフィルタ１０が設けられた吸気口９より空気が流入し、吸気ダクト７を通って空気流発生装置６に送られ高圧化される。
【００１６】
空気流発生装置６で高圧化された空気（高圧空気）は、第１の排気通風路１３及び第２の排気通風路１５を通って、内側ノズル１１及び外側ノズル１２によって高圧空気から高速空気流へと変換され、第１の噴出口１４及び第２の噴出口１６から噴出され、傘１７に吹き付けられる。
【００１７】
このときに、内側ノズル１１は傘１７の中心線上に位置する中棒１８や石突き１９に近い位置の設けられているため、石突き１９寄りの傘布２０に付着した水分の除去に供される。一方、外側ノズル１２は中心線から遠い位置に設けられているため、露先２１寄りの傘布２０に付着した水分の除去に供される。
【００１８】
このように、石突き１９寄りの傘布２０の除水のためと露先２１寄りの傘布２０の除水のためのノズル（噴出口）を設けているので、従来のような下側一箇所から傘に沿って空気を吹き付けるもののように下から上に行くに従って著しく空気流が減衰するということを防止でき、傘布全体についての除水能力が向上する。
【００１９】
また、傘１７を閉じた状態で親骨２２間の傘布に生じる折り目を襞２３とすると、内側ノズル１１及び外側ノズル１２から高速空気流を吹き出すことで第１の噴出口１４及び第２の噴出口１６から下流にかけての噴流付近では負圧となるため、襞２３は噴流側すなわち内側ノズル１１及び外側ノズル１２側へ引かれる傾向にある。これにより襞２３に高速空気を効率的に与えることが可能となる。
【００２０】
さらに、内側ノズル１１及び外側ノズル１２は略直線部を１５ｍｍ以上有しており、整流効果を得て、損失低減、騒音低減を可能とする。
【００２１】
また、除水室４は、使用に際しては内側ノズル１１及び外側ノズル１２からの高速空気をより効果的に傘１７へ当てられるようにするために、必要に応じて傘を上下に動かしたり、左右に振ったり、回転させることができるように十分な容積を確保している。
【００２２】
なお、傘１７の表面から吹飛ばされた水滴は、除水室４の上方及び側方へ飛散するが、除水室４の上部の開口部３の周囲にはガイド２４が設けられており、これにより傘除水機１外へ水滴が飛散することを防ぐ。また、傘１７を取出すときに傘１７の露先２１がガイド２４に引っかかるのを防止するために、ガイド２４の外周から中心の開口部３に向けて山型になって傘を取出しやすくなるように角度を設けている。
【００２３】
このように高速空気を用いたことで物理的に水滴を除去するエネルギが増大し、除水能力が向上する。さらに、風速が上がったことで、傘１７の襞２３付近に生じる渦の発生周期が短くなり、傘布のはためきが大きくなり、このはためき力で吹飛ばされて除去される水滴量も多くなる。
【００２４】
ここまでの傘除水機１は、内側ノズル１１及び外側ノズル１２の２本のノズルからなるものであった。このようなノズル構成の場合、使用者が傘１７の除水をするには手元２５を持って傘１７を３６０度回転させなければ除水ができない状況も考えられる（実際には空気流の発散等の要素もあるのでこれほどの回転は必要がない状況もあり得る。）。図２は、傘除水機に傘が挿入された状態の縦断面図であって、前述の内側ノズル１１及び外側ノズル１２に加え、内側ノズル１１側であってこのノズルよりも傘１７の中心線から遠い位置に設けた外側ノズル２６と、外側ノズル１２側であってこのノズルよりも傘１７の中心線から近い位置に設けた内側ノズル２７を配している。
【００２５】
このように、傘の中心線を基準にノズルを対称に配することで、使用者が傘を一回転させる必要が無くなり、ちょうど手首で傘を半回転程度させるだけで、傘布の全面に高速空気流がまんべんなく当たることになり、除水時間の短縮と使い勝手の向上が図られる。
【００２６】
実施の形態２．
図３は、傘除水機に傘が挿入された状態の縦断面図であって、傘１７の中心線から近い位置に設けた内側ノズル２８及び傘１７の中心線から遠い位置に設けた外側ノズル２８を配している。その他の構成で実施の形態１と同様の機能を有する構成については原則として付番を省略している。なお、以下の実施の形態３以降も同様である。
【００２７】
この内側ノズル２８は前述した実施の形態１における内側ノズル１１と同程度の高さであるが、外側ノズル２９の高さは外側ノズル１２に比べの高くなっている。これは、ノズルの噴出口から除水対象となる傘布表面までの距離を短く保つことで、傘布の除水に必要な風力、風量の減衰をできるだけ小さくするものである。
【００２８】
一般的な傘は親骨の長さが５００ｍｍ〜７００ｍｍ程度が標準的な長さであり、まれに７５０ｍｍ程度の傘もある。従って、このように親骨の長さに２００ｍｍ程度の幅が存在することから、これに対応して内側ノズル２８の高さと外側ノズル２９の高さとの関係は、２００ｍｍ〜４００ｍｍとするもである。
【００２９】
このような構成とすることで、露先２１に近い傘布に対して吹き付けられる空気流の風速の減衰を低減でき、傘の除水能力が向上する。
【００３０】
さらに、図４は、高さの異なる内側ノズルと外側ノズルをそれぞれ４本ずつ設けた傘除水装置の内部構成を示す斜視図である。それぞれ内側ノズル２８に比べ外側ノズル２９の方が高くなっており、両者が傘１７の中心線を中心として同心円上に配置されている。
【００３１】
このようにすることで、露先２１に近い傘布に対して吹き付けられる空気流の風速の減衰を低減できるとともに、空気流発生装置６の大型化又は大電力化を押さえることが可能となる。
【００３２】
なお、ここでは内側ノズルと外側ノズルをそれぞれ４本ずつ設けた例を示しているが、実施の形態１と同じように２本ずつ設けた場合であっても、１本ずつ設けた場合に比べ除水能力が向上し、除水時間の短縮や操作性の向上効果が得られる。
【００３３】
実施の形態３．
従来の傘除水装置は吸水性シートとの組み合わせを前提としているため、空気流による除水効果をそれほど求めておらず、前述したような空気流を吹き付けるノズルの位置だけでなく、吹き付ける空気流の風速についても検討されていない。この実施の形態では、吸水性シートへの依存を前提とせずに空気流だけで極力除水するための空気流の最適値について検討する。感覚的には、傘布に吹き付ける空気流の流速をできるだけ大きくするとともに風量を増やせば、除水能力は向上すると想像される。しかし、そのために空気流発生装置を限りなく大きくすれば設置スペースや電力消費量といった点で問題が生じるとともに、装置内部から開口部を通って外部に吹き出す風量が増え使用者に不快感を与えるおそれなども考えられる。
【００３４】
このような知見のもと、この発明の除水装置を使って、空気流の流速を変更した場合の傘の乾き具合について調べた。図５は、５秒間除水した場合の傘の除水率とノズルからの空気の流速との関係である。この図において除水率とは、除水前の水滴付着量と除水後の水滴付着量との差を除水前の水滴付着量で割った値を％表示したものである。また、流速とは傘に当たる位置での値である。つまり除水率が小さいほど除水後に傘に残る水滴が多く、除水率が大きいほど除水後に傘に残る水滴が少ない。
【００３５】
この結果、流速が約２５ｍ／ｓの場合は除水率が６０％であり、この状態で傘を装置から取り出すと、すぐに水滴が滴下してしまい見た目にも傘の表面に水滴が残っているのが明らかである。流速が約３５ｍ／ｓの場合は除水率が７０％であり、この状態で傘を装置から取り出しても、すぐには水滴が滴下してこない。しかし、ある程度時間をおくと滴下する。このように色々条件を変え試作を繰り返したところ、除水率８０％を下回る場合はある程度時間をおくと水滴が滴下してくることが分かった。この除水率８０％を得るには流速を約４０ｍ／ｓとすることが必要である。
【００３６】
逆に、流速４０ｍ／ｓを超えた当たりから除水率の増加傾向が鈍化し、４５ｍ／ｓあたりで除水率８０％を超えるが、流速６０ｍ／ｓでも約８２〜８３％程度である。このような結果から流速を約４０ｍ／ｓ以上とすれば十分であり、実用上の装置間の誤差等を考慮すると望ましくは５０ｍ／ｓとすべきである。また、逆に流速の上限は除水能力だけの点から見れば、特に制限される要素はないが、空気流発生装置の能力、コスト、騒音及び使用感といった面から総合的に判断すると６５ｍ／ｓ程度でも構わない。
【００３７】
また、ノズルの噴出口に関しては、流速、風量、及び減衰量といった要素を考慮すると内側ノズルとこれよりも高い外側ノズルの計２本の場合（図３相当）、噴出口の径はφ１３ｍｍ〜φ２１ｍｍが適しており、内側ノズル２本とこれらよりも高い外側ノズル２本の計４本の場合（図４相当）、噴出口の径はφ８ｍｍ〜φ１６ｍｍが適している。
【００３８】
なお、この実施の形態では内側ノズルの高さと外側ノズルの高さとの間に差があるものについて調べているが、例えば実施の形態１において説明した図１や図２に記載した装置の場合、外側ノズルの減衰量が大きいので、その分流速を大きくする必要が生じるため、やはり流速は４０ｍ／ｓ以上必要となる。
【００３９】
また、除水時間を長くすれば、流速をもう少し小さくすることも可能である。ただし、除水時間を長くすればするほど、使用者が除水に対していらいらを募らせることになるため、両者の調和を図って５秒としている。
【００４０】
あるいは、図６に示すようにノズルを環状に配置してノズルの本数を増やすことで十分な風量を得て、流速を下げることも考えられる。
【００４１】
実施の形態４．
これまでの実施の形態でのノズルはいずれもストレートなノズルであり、鉛直上方に向けて気流を噴出するものである。この実施の形態では、ノズルに角度を設けてより効果的に傘の除水を行う装置を検討する。
【００４２】
図７は傘除水機の縦断面図である。図中、内側ノズル３０は傘１７の中心付近に配置され、外側ノズル３１はこの内側ノズル３０よりも外側に配置されている。そして内側ノズル３０はその途中で傘の中心線方向に向かって傾けられており、外側ノズル３１もその途中で傘の中心線方向に向かって傾けられている。
【００４３】
このようにすることで、内側ノズル３０及び外側ノズル３１は、傘布に直角に高速空気を当てる量を多くすることで、傘に付着の水滴を上方へ散在させて除去している。これより傘に付着の水滴を短時間で除去することが可能となる。なお、このときのノズルの傾きは鉛直上方向に対して０°から４５°の間で傘に略直角になる角度を設けている。
【００４４】
図８は傘除水機の縦断面図である。図中、内側ノズル３２は傘１７の中心付近に配置され、外側ノズル３３はこの内側ノズル３２よりも外側に配置されている。そして内側ノズル３２はその途中で傘の中心線方向と反対方向に向かって傾けられており、外側ノズル３３もその途中で傘の中心線方向と反対方向に向かって傾けられている。
【００４５】
このようにすることで、内側ノズル３２及び外側ノズル３３は、傘布に略平行に流れようになり、傘布表面に高速空気が接触する面積が大きくなる。これにより傘に付着の水滴を上方へ散在させて除去している。これより傘に付着の水滴を短時間で除去することが可能となる。なお、このときのノズルの傾きは鉛直上方向に対して０°から４５°の間で傘に略平行になる角度を設けている。
【００４６】
実施の形態５．
この実施の形態は、吸水性のある布やスポンジを補助的に用いることで除水効率の向上を行ったものである。
【００４７】
図９は傘除水機の縦断面図である。図中、吸水手段（例えば吸水性のある布又はスポンジ）３４は、除水室４内部の壁面に沿って、挿入された傘１７の傘布が接触するように取り付けられている。
【００４８】
こうすることで、除水室４へ挿入された傘１７は、内側ノズル１４及び外側ノズル１６により噴出された高速空気だけでなく、傘布が除水室４周囲に取り付けられた吸水手段３４に接触することにより、傘に付着の水滴をより効果的に除去することが可能となる。
【００４９】
このような構成は特に使用頻度が高く撥水性が劣化した傘に有効であり、高速空気だけでは除去しにくい水滴の除去能力を向上させる。
【００５０】
また、図１０は、吸水手段３５をガイド２４に設けた傘除水機の縦断面図であり、高速空気だけでは除去できなかった水滴を、傘１７を抜出す際に吸水手段３５除去するものである。
【００５１】
実施の形態６．
この実施の形態は外側ノズルの高さをこれまでのものよりも高くして、傘に対して側面から空気流を吹き付けるようにしたものである。図１１は傘除水機の縦断面図である。
【００５２】
図中、内側ノズル３６はこれまでと同じように傘１７の中心線に近い位置に設けられ上方に向かって空気流を噴出する。一方、外側ノズル３７は傘１７の露先２１近くまで伸びており、先端部近傍から傘１７に向かって空気流を吹き付けられるように噴出口３８が傘１７側を向くように設けられている。
【００５３】
こうすることで、内側ノズル３６から噴出された高速空気で石突き１９に近い側の傘布に付着する水滴を除去することができ、外側ノズル３７に横向きに設けられた噴出口３８から噴出された高速空気で露先２１に近い側の傘布に付着する水滴を除去することができる。これにより親骨２２間の傘布の折り目部分へ効果的に高速空気を当てることが可能なる。
【００５４】
図１２は傘除水機の縦断面図である。図中、内側ノズル３９はこれまでと同じように傘１７の中心線に近い位置に設けられ上方に向かって空気流を噴出する。一方、外側ノズル４０は傘１７の露先２１近くまで伸びており、先端部近傍から傘１７の石突き１９方向に向かって空気流を吹き付けられるように噴出口４１が傘１７側の下側を向くように０°から６０°の間の角度になるように設けられている。
【００５５】
こうすることで、内側ノズル３９により噴出された高速空気で傘１７の石突き１９側の傘布の水滴を除去するとともに、外側ノズル４０を用いることで傘１７の露先２１側の傘布の水滴を移動させることにより水滴除去の効果を得て、同時に、傘の布地のはためきによる水滴除去の効果も兼ね、短時間水滴除去が可能となる。
【００５６】
さらには、外側ノズル４０の噴出口４１が下を向いていることから開口部３からの水滴飛沫を低減できる効果が得られる。
【００５７】
実施の形態７．
この実施の形態では、ノズルの噴出口の形状について検討する。なお、ここで検討する噴出口は、実施の形態６で示した露先近くまでの高さを有する外側ノズルに関するものである。
【００５８】
図１３は外側ノズルの正面図である。これは図１１における外側ノズル３７であって、傘１７に向けて設置される面に複数の噴出口４２を有するものである。
【００５９】
このようにすることで、傘１７の中心に向けて風を拡散させることが可能となるため、傘布表面の垂直方向を中心に広範囲に渡って短時間で水滴除水ができる。
【００６０】
図１４は外側ノズルの正面図である。これも図１１における外側ノズル３７であって、傘１７に向けて設置される面にスリット状の噴出口４３を有するものである。
【００６１】
このようにすることで、傘１７の中心に向けて広範囲に風を吹き付けることが可能であるため、傘布表面の広範囲に渡って短時間で水滴除水ができる。
【００６２】
図１５は外側ノズルの正面図である。これは図１１における外側ノズル３７の先端部を横向きにしたものであり、傘１７に向けて設置される面に複数の噴出口４２を有するものである。このようにすることで、傘１７の中心に向けて風を特に水平方向に拡散させることが可能となるため、傘布表面の水平方向を中心に広範囲に渡って短時間で水滴除水ができる。
【００６３】
図１６は外側ノズルの正面図である。これも図１１における外側ノズル３７の先端部を横向きにしたものであって、傘１７に向けて設置される面にスリット状の噴出口４３を有するものである。このようにすることで、傘１７の中心に向けて広範囲に風を特に水平方向に吹き付けることが可能であるため、傘布表面の水平方向を中心に広範囲に渡って短時間で水滴除水ができる。
【００６４】
実施の形態８．
この実施の形態では、傘をまんべんなく除水するために使用者が傘を自ら手でもって回さなくても済むようにしたものである。図１７は傘除水機内での傘とノズルとの関係を示した概念図である。図中、ノズル４４は傘１７の石突き１９から露先２１に向けて高速空気を噴出するよう構成されている。ノズル４４の噴出口４５から吹き出される空気流の軸流方向と中棒１８とはねじれの位置関係にある。すなわち中棒１８はほぼ鉛直方向に置かれることになるから、軸流方向が鉛直方向に対して、０°から９０°の間の角度を有するように傾けて設置されるとともに、その軸流方向に中棒１８が位置しないようになっている（しかし、軸流方向に傘布がなければならない。）。
【００６５】
こうすることで、ノズル４４からの高速空気により、傘布が押され、傘１７が回転するので、手動で回転させる場合と比較してムラがなくなるため、効率良く水滴の除去が可能となり、使用者にとって使い易くなる。
【００６６】
実施の形態９．
この実施の形態ではノズルを回転させることで除水能力の向上を図る装置について検討する。図１８は傘除水機の縦断面図である。図中、ノズル４６は上向きに高速空気を噴出するよう構成されて、ノズル４６が傘１７の周りを回転するためのモータ４７を除水室４下部に備えている。このモータ４７は送気室５に固定され、モータ４７に連結され回転するノズル４６との繋ぎ部にはＯリング４８などのシール材が設けられ、隙間からの水や埃の侵入を防止している。
【００６７】
こうすることで、ノズル数や風量、風速といった要素に関係なく、自動で回転できるので、ムラがなくなるため効率良く水滴の除去が可能となる。
【００６８】
さらには、使用者にとって使い勝手がよくなるとともに、傘自体は回転しないので、傘が損傷すること可能性も低く信頼度が高い装置を提供することができる。
【産業上の利用可能性】
【００６９】
濡れた傘を短時間で除去することが可能となり、傘からの水滴が垂れないことにより設置者の満足が得られ、また、濡れた傘により衣類や所持品が濡れることを防止することで利用者を満足させることが可能となる。
【図面の簡単な説明】
【００７０】
【図１】この発明の実施形態１に係る傘除水機の縦断面図である。
【図２】この発明の実施形態１に係る他の傘除水機の縦断面図である。
【図３】この発明の実施形態２に係る傘除水機の縦断面図である。
【図４】この発明の実施形態２に係る他の傘除水機内部の斜視断面図である。
【図５】この発明の実施形態３に係る除水率と流速の関係を示すグラフである。
【図６】この発明の実施形態３に係る傘除水機の縦断面図である。
【図７】この発明の実施形態４に係る傘除水機の縦断面図である。
【図８】この発明の実施形態４に係る他の傘除水機の縦断面図である。
【図９】この発明の実施形態５に係る傘除水機の縦断面図である。
【図１０】この発明の実施形態５に係る他の傘除水機の縦断面図である。
【図１１】この発明の実施形態６に係る傘除水機の縦断面図である。
【図１２】この発明の実施形態６に係る他の傘除水機の縦断面図である。
【図１３】この発明の実施形態７に係るノズルの正面図である。
【図１４】この発明の実施形態７に係る他のノズルの正面図である。
【図１５】この発明の実施形態７に係る他のノズルの正面図である。
【図１６】この発明の実施形態７に係る他のノズルの正面図である。
【図１７】この発明の実施形態８に係る他の傘除水機内部の斜視断面図である。
【図１８】この発明の実施形態９に係る傘除水機の縦断面図である。
【符号の説明】
【００７１】
１  傘除水機、  ２  箱体、  ３  開口部、  ４  除水室、  ５  送気室、  ６  空気流発生装置、  ７  吸気ダクト、  ８  吸音材、  ９  吸気口、  １０  エアフィルタ、  １１  内側ノズル、  １２  外側ノズル、  １３  第１の排気通風路、  １４  第１の噴出口、  １５  第２の排気通風路、  １６  第２の噴出口、  １７  傘、  １８  中棒、  １９  石突き、  ２０  傘布、  ２１  露先、  ２２  親骨、  ２３  襞、  ２４  ガイド、  ２５  手元、  ２６  外側ノズル、  ２７  内側ノズル、  ２８  内側ノズル、  ２９  外側ノズル、  ３０  内側ノズル、  ３１  外側ノズル、  ３２  内側ノズル、  ３３  外側ノズル、  ３４  吸水手段、  ３５  吸水手段、  ３６  内側ノズル、  ３７  外側ノズル、  ３８  噴出口、  ３９  内側ノズル、  ４０  外側ノズル、  ４１  噴出口、  ４２  噴出口、  ４３  噴出口、  ４４  ノズル、  ４５  噴出口、  ４６  ノズル、  ４７  モータ、  ４８  Ｏリング。
【図１】
2005133962.tif 000003
【図２】
2005133962.tif 000004
【図３】
2005133962.tif 000005
【図４】
2005133962.tif 000006
【図５】
2005133962.tif 000007
【図６】
2005133962.tif 000008
【図７】
2005133962.tif 000009
【図８】
2005133962.tif 000010
【図９】
2005133962.tif 000011
【図１０】
2005133962.tif 000012
【図１１】
2005133962.tif 000013
【図１２】
2005133962.tif 000014
【図１３】
2005133962.tif 000015
【図１４】
2005133962.tif 000016
【図１５】
2005133962.tif 000017
【図１６】
2005133962.tif 000018
【図１７】
2005133962.tif 000019
【図１８】
2005133962.tif 000020